(57)【要約】【課題】  従来にあっては、１つの実施例にあっては、被施術者が腰を前方に移動することで座部を前方に移動させるものであるため、意図しないで座部が後方に移動してしまい、また、被施術者が着座した状態において頭部に近接してシャンプーボールが位置しているために、パーマやヘアダイの施術においてシャンプーボールが邪魔になるといった問題があった。【解決手段】  座部基台２１と、該座部基台に対してスライド可能に取付けられた座部２２と、該座部の前後動を可能、かつ、阻止するロック手段２６と、背凭れの起伏を制御する駆動手段２４と、前記ロック手段および前記駆動手段を操作することで制御するハンドル２５とを具備した理美容用椅子である。【選択図】        図２
2005152574.tif 000002
【特許請求の範囲】
【請求項１】
座部基台と、該座部基台に対してスライド可能に取付けられた座部と、該座部の前後動を可能、かつ、阻止するロック手段と、背凭れの起伏を制御する駆動手段と、前記ロック手段および前記駆動手段を操作するハンドル等の操作手段とを具備したことを特徴とする理美容用椅子。
【請求項２】
前記駆動手段はガスシリンダであって、前記操作手段を操作することで前記ガスシリンダのロックが解除されて前記背凭れの伏倒起立が可能となり、また、操作手段を戻すことでガスシリンダがロック状態となって伏倒起立が停止した状態となるようにしたことを特徴とする請求項１記載の理美容用椅子。
【請求項３】
前記ロック手段は、前記座部の下面側に取付けられたラックと、前記操作手段の操作によって前記ラックと噛合・解除されるロックピンとから構成されていることを特徴とする請求項１記載の理美容用椅子。
【請求項４】
前記ロックピンには、前記操作手段によって前記噛合状態が解除された位置でボールプランジャが係合される溝が形成されており、該溝と前記ボールプランジャとが係合されることで戻らないようにしたことを特徴とする請求項３記載の理美容椅子。
【請求項５】
前記ロックピンは、前記操作手段によって前記噛合状態が解除された位置において、前記操作手段を戻すことによって回転する揺動リンクに取付けられたボールプランジャが座部板から垂下された突片に形成された孔とが係合されることによって戻らないようにしたことを特徴とする請求項３記載の理美容椅子。
【請求項６】
前記背凭れはメイン背凭れとサブ背凭れとに分割されており、メイン背凭れは前記駆動手段によって起伏し、また、サブ背凭れは前記座部と一体に前後移動するようにしたことを特徴とする請求項１記載の理美容用椅子。
【請求項７】
前記サブ背凭れは、前記座部より後方に延長されたアームに対して回動自在に取付けられていることを特徴とする請求項４記載の理美容用椅子。
【発明の詳細な説明】
【技術分野】
【０００１】
本発明は理美容院における整髪や洗髪、特に、バックシャンプーと呼ばれる被施術者の首部をシャンプーボールの縁に形成された凹部に乗せた仰向け状態で、座部を前方に移動させると共に背凭れを伏倒して洗髪を行なうのに適した理美容用椅子に関する。
【背景技術】
【０００２】
従来におけるこの種の理美容用椅子としては、例えば、特開２００１−２３１６５２号公報に開示されている技術がある。この技術における１つの実施例は座部が座部基台に対して前後方向にスライド可能に構成され、かつ、背凭れは座部基台に固定されシャンプーボールに近接して固定配置されたものであり、他の実施例は座部が固定されて配置され、かつ、背凭れが起伏可能に形成されたものである。そして、洗髪時に座部を前方に移動させ、あるいは、背凭れのみを伏倒させて被施術者が仰向けの施術姿勢とするものである。
【特許文献１】特開２００１−２３１６５２号公報
【発明の開示】
【発明が解決しようとする課題】
【０００３】
ところで、前記した従来例にあっては、１つの実施例にあっては、被施術者が腰を前方に移動することで座部を前方に移動させるものであるため、意図しないで座部が後方に移動してしまい、また、被施術者が着座した状態において頭部に近接してシャンプーボールが位置しているために、パーマやヘアダイの施術においてシャンプーボールが邪魔になるといった問題があった。
【０００４】
また、他の実施例においては、背凭れの伏倒は可能であるが座部の前後動が行なわれないため、被施術者の身長さを十分に吸収することができず、身長の高いあるいは低い被施術者の場合に、首後ろ部がシャンプーボールの凹部から飛び出たり、凹部までとどかない場合があって、洗髪作業に適さないといった問題があった。
【０００５】
本発明は前記した問題点を解決せんとするもので、その目的とするところは、ハンドル操作によって座部の移動および背凭れの起伏が開始され、かつ、所望の位置でロック機構によって停止可能としたことにより、従来のような問題点を解決することができる理美容用椅子を提供せんとするにある。
【課題を解決するための手段】
【０００６】
本発明の理美容用椅子は前記した目的を達成せんとするもので、請求項１の手段は、座部基台と、該座部基台に対してスライド可能に取付けられた座部と、該座部の前後動を可能、かつ、阻止するロック手段と、背凭れの起伏を制御する駆動手段と、前記ロック手段および前記駆動手段を操作するハンドル等の操作手段とを具備した理美容用椅子である。
【０００７】
請求項２の手段は、前記した請求項１において、前記駆動手段はガスシリンダであって、前記操作手段を操作することで前記ガスシリンダのロックが解除されて前記背凭れの伏倒起立が可能となり、また、操作手段を戻すことでガスシリンダがロック状態となって伏倒起立が停止した状態となるようにしたことを特徴とする。
【０００８】
請求項３の手段は、前記した請求項１において、前記ロック手段は、前記座部の下面側に取付けられたラックと、前記操作手段の操作によって前記ラックと噛合・解除されるロックピンとから構成されていることを特徴とする。
【０００９】
請求項４の手段は、前記した請求項３において、前記ロックピンには、前記操作手段によって前記噛合状態が解除された位置でボールプランジャが係合される溝が形成されており、該溝と前記ボールプランジャとが係合されることで戻らないようにしたことを特徴とする。
【００１０】
請求項５の手段は、前記した請求項３において、前記ロックピンは、前記操作手段によって前記噛合状態が解除された位置において、前記操作手段を戻すことによって回転する揺動リンクに取付けられたボールプランジャが座部板から垂下された突片に形成された孔とが係合されることによって戻らないようにしたことを特徴とする。
【００１１】
請求項６の手段は、前記した請求項１において、前記背凭れはメイン背凭れとサブ背凭れとに分割されており、メイン背凭れは前記駆動手段によって起伏し、また、サブ背凭れは前記座部と一体に前後移動するようにしたことを特徴とする。
【００１２】
請求項７の手段は、前記した請求項４において、前記サブ背凭れは、前記座部より後方に延長されたアームに対して回動自在に取付けられていることを特徴とする。
【発明の効果】
【００１３】
本発明にあっては、座部基台に対してスライド可能に取付けられた座部と、該座部の前後動を可能、かつ、阻止するロック手段と、背凭れの起伏を制御する駆動手段と、ロック手段および駆動手段を操作するハンドル等の操作手段とから構成したことにより、初期状態においては被施術者の頭部とシャンプーボールとが離れた位置となるので、パーマ等の施術が容易になり、また、前記ロック手段を解除して座部を前後方向にスライドすることで、被施術者に身長差があってもシャンプーボールの凹部に対して被施術者の首後ろが最適な位置で支持され、従って、施術者が最適な姿勢で洗髪を行うことができる。
【００１４】
また、駆動手段はガスシリンダであって、操作手段を操作することでガスシリンダのロックが解除されて背凭れの伏倒起立が可能となり、また、操作手段を戻すことでガスシリンダがロック状態となって伏倒起立が停止した状態となるよにしたので、従来のような油圧シリンダを用いたものより小型化および軽量化を図ることができる。
【００１５】
さらに、ロック手段は、座部の下面側に取付けられたラックと、操作手段の操作によって前記ラックと噛合・解除されるロックピンとから構成されているので、初期状態およびシャンプー状態の何れにおいても、座部や背凭れが変位することなく、安全であると共に被施術者が安心して施術を受けることができる。
【００１６】
また、ロックピンには、操作手段によって噛合状態が解除された位置でボールプランジャが係合されるロック溝が形成されており、該ロック溝と前記ボールプランジャとの係合状態においては、前記ロックピンを前記ラックと噛合させる方向のバネ力によって戻らないようにしたので、操作手段から手を離した状態でもロックピンとラックとの係合が行われることがないので、座部の前後動位置を設定した後に座部を固定できる。
【００１７】
また、背凭れはメイン背凭れとサブ背凭れとに分割されており、メイン背凭れは駆動手段によって起伏し、また、サブ背凭れは座部と一体に前後移動するようにしたので、被施術者の背中全体を受けることにより被施術者に疲労感を与えることがない。
【００１８】
さらに、サブ背凭れは、座部より後方に延長されたアームに対して回動自在に取付けられているので、被施術者の腰の部分がサブ背凭れによって確実に受けられて、よりフィット感を被施術者に与える等の効果を有するものである。
【発明を実施するための最良の形態】
【００１９】
座部基台に対してスライド可能に取付けられた座部の前後動を可能、かつ、阻止するロック手段と、背凭れの起伏を制御する駆動手段とを操作手段の操作によって行なえる。
【実施例１】
【００２０】
以下、本発明に係る理美容用椅子の実施例を図面と共に説明する。
図１において、１はシャンプーボールにして、床面に固定された基台１ａの上部に取付けられており、かつ、シャンプーボール１の後述する本発明の理美容用椅子２（以下、単に椅子という）と対面する側には、該椅子２に着座した被施術者の首後ろ側を受ける凹部（図示せず）が形成されている。また、前記基台１ａの下部には、一端が床面に設置するアーチ状の脚体３の他端が固定されている。
【００２１】
そして、図１（ａ）は椅子２における座部が後退位置にあり、かつ、背凭れが起立位置にあっては、被施術者が着座して洗髪を行なう前の状態を示した側面図であり、また、図１（ｂ）は座部が前方に移動し、かつ、背凭れが伏倒して被施術者の洗髪を行なう状態を示した側面図である。
【００２２】
図２〜図４に示す椅子２について説明するに、２１は前記脚体３に固定された座部基台にして、該座部基台２１の先端側には一対のローラ２１ｂが取付けられている。２２は座部板２２ａに取付けられた座部にして、左右には前記ローラ２１ｂをガイドするスライドレール２２ｂ（図４参照）が取付けられている。
【００２３】
２３は被施術者の背中部を支持するメイン背凭れ２３ａと、腰部を支持するサブ背凭れ２３ｂからなる背凭れにして、前記サブ背凭れ２３ｂは前記座部板２２ａの後方から延長されたアーム２３ｃの上端に回動自在に軸支されている。また、メイン背凭れ２３ａは後述するガスシリンダ２４の一端に下端が軸支された背凭れ板２３ｄの上端に固定されている。なお、前記背凭れ板２３ｄの中間部から突出した突出片２３ｅは前記座部基台２１から起立して形成された起立板２１ｃに軸支されている。
【００２４】
２４はガスシリンダにして、一端が座部基台２１の裏面に固定された取付板２１ｄに取付けられ、他端は前記したように背凭れ板２３ｄの下端に軸支されており、常時はピストン２４ｂが突出する方向に構成されており、解除栓２４ａを押すことによりフリーな状態となるように構成されている。
【００２５】
２５は前記座部基板２１の裏面において２か所で回転自在に軸支され、かつ、両端が座部２２の後方両端から上方に突出するハンドルにして、水平部の１か所において揺動リンク２５ａに固定されている。なお、連結アーム２５ｃの揺動リンク２５ａ側に寄って位置には、後述する解除アーム２６ｄを押下するための押下ピン２５ｄが突出して取付けられている。
【００２６】
前記揺動リンク２５ａは一端が前記座部基板２１ａから垂下された突片２１ｆに軸支され、他端は一端が前記取付板２１ｄに軸支された解除板２５ｂの他端とを連結する連結アーム２５ｃに軸支されている。そして、解除板２５ｂは図２の状態においてはガスシリンダ２４の解除栓２４ａから離開し、解除板２５ｂが反時計方向に回動されると解除栓２４ａに当接して、ガスシリンダ２４のピストン２４ｂが伸長する。
【００２７】
２６はロック手段にして、座部板２２ａの裏面に固定されたラック２６ａと、座部基板２１ａの裏面に固定されたガイド２１ｅに対して上下動可能に支持されたロックピン２６ｂと、一端が前記突片２１ｆに軸支され、他端に形成された長孔２６ｃに前記ロックピン２６ｂの下端が摺動可能に案内された解除アーム２６ｄとより構成されている。
【００２８】
なお、２７は座部板２２ａと座部基板２１との間に張設した座部が前方に移動したのを後方に戻すための座部用スプリング、２８は座部基板２１と前記ハンドル２５の水平部に固定された引掛片２５ｅとの間に張設されたハンドル２５を元の位置に戻すためのハンドルスプリングである。
【００２９】
次に、本発明に係る理美容用椅子の動作を前記した構成に基づいて動作を説明する。
図１（ａ）および図２は被施術者が洗髪を行なう前の状態であって、ハンドル２５は初期状態である左方向に回動されている。この状態においては、ハンドル２５に固定されている揺動リンク２５ａは反時計方向に回動されており、連結アーム２５ｃは左方向に移動している。従って、解除板２５ｂはガスシリンダ２４の解除栓２４ａから離開しており、ピストン２４ｂは突出状態となっている。
【００３０】
前記ガスシリンダ２４のピストン２４ｂが突出していることから、ガスシリンダ２４の一端が接続されている背凭れ板２３ｄの突出片２３ｅと起立板２１ｃとの軸支点を支点として反時計方向に回動されメイン背凭れ２３ａは起立状態となっている。
【００３１】
さらに、座部２２はスプリング２７のバネ力によって後方位置（図において右方向）に戻されており、また、この状態においてロックピン２６ｂは図示しないスプリングによって上方にバネ付勢されているので、該ロックピン２６ｂはラック２６ａに噛合され座部２２の移動は阻止され、後方位置において停止した状態に保持されている。
【００３２】
次に、被施術者の洗髪を行なうための動作を図３と共に説明するに、ハンドル２５を時計方向に回動する。該ハンドル２５が回動されると、該ハンドル２５に固定されている揺動リンク２５ａが時計方向に回動されので、連結アーム２５ｃは右方向に移動して解除板２５ｂを反時計方向に回動させるので、該解除板２５ｂはガスシリンダ２４の解除栓２４ａを押す。
【００３３】
前記解除栓２４ａが押されるとガスシリンダ２４はフリーな状態となるので、着座している被施術者がメイン背凭れ２３ａに寄り掛かって後方に向かって力を加えると、メイン背凭れ２３ａは伏倒方向に変位する。
【００３４】
一方、前記したようにハンドル２５を操作することにより連結アーム２５ｃが右方向に移動するが、この時、連結アーム２５ｃの右端は揺動リンク２５ａの回転により下降する状態となる。この下降に伴って連結アーム２５ｃに取付けられている押下ピン２５ｄが下降するので、一端が突片２１ｆに軸支されている解除アーム２６ｄを押下する。これにより、解除アーム２６ｄは反時計方向に回動されてロックピン２６ｂを図示しないスプリングのバネ力に抗して押し下げられてラック２６ａとの噛合は解除される。
【００３５】
従って、被施術者がメイン背凭れ２３ｂに寄り掛かるようにして腰をスプリング２７のバネ力に抗して前方に移動することで、座部２２は前方に移動する。また、座部２２が前方に移動すると、該座部２２と一体に移動するサブ背凭れ２３ｂも前方に移動するので、被施術者の腰の部分もサブ背凭れ２３ｂによって支持されると共に、該サブ背凭れ２３ｂは回動自在に構成されているので、腰の部分にフィットした状態で支持され、前記メイン背凭れ２３ａとによって被施術者の背中全体が安定した状態で支持される。
【００３６】
そして、被施術者が仰向け状態で徐々に傾斜されて、被施術者の首後ろがシャンプーボール１の凹部にフィットした状態となったと施術者が判断したなら、ハンドル２５を元の位置に戻すと、前記した動作とは逆の動作によって連結アーム２５ｃが左方向に移動して解除栓２４ａに対する押し力が解除されてガスシリンダ２４のピストンはその位置で停止し、従って、メイン背凭れ２３ａもその位置で停止した状態となる。
【００３７】
また、連結アーム２５ｃの右端は揺動リンク２５ａの回転により上昇する状態となることから、押下ピン２５ｄが上方に移動して解除アーム２６ｄはフリーな状態となるので、ロックピン２６ｂは図示しないスプリングのバネ力によって押し上げられてラック２６ａとの噛合が行なわれ、従って、座部２２はその位置で停止した状態となり、安定した状態で施術者によるシャンプー作業を受けることができる。
【００３８】
そして、シャンプー作業が終了した場合には、ハンドル２５を時計方向に回動すると前記した動作によって連結アーム２５ｃを介して解除板２５ｂがガスシリンダ２４の解除栓２４ａを押して、該ガスシリンダ２４をフリーな状態とするので、被施術者によるメイン背凭れ２３ａへの寄り掛かり力を解除することで、該メイン背凭れ２３ａは起立方向に戻される。
【００３９】
また、連結アーム２５ｃに取付けられている押下ピン２５ｄによって解除アーム２６ｄを押下するので、ロックピン２６ｂが押し下げられてラック２６ａとの噛合が解除され、従って、着座している被施術者による寄り掛かりが無くなっていることから、座部２２はスプリング２７のバネ力によって後方に戻される。そして、初期の位置まで戻ったと施術者が判断してハンドル２５を元の位置に戻すとガスシリンダ２４はロックされ、かつ、ロックピン２６ｂがラック２６ａに噛合されることで、初期の位置で固定される。
【００４０】
本発明の全ての構成が座部基板２１上に配置されていることから、昇降装置を座部基板２１の裏面に取付けることで、昇降可能な理美容用椅子としても使用することが可能である。
【００４１】
なお、前記した実施例にあっては、駆動手段としてガスシリンダの場合について説明したが、コイルスプリングや油圧シリンダを使用してもよい。また、ローラ２１ｂに対して座部２２をスライドレール２２ｂによって移動できるようにしたが、スライドレール２２ｂに代えてローラを座部基台２１に固定されたガイドレール上を移動させるようにしてもよい。
【実施例２】
【００４２】
この実施例は、前記したロック手段２６の構成を変更したものである。
すなわち、前記した実施例にあっては、ハンドル２５には常時、該ハンドル２５を初期位置（図２に示す起立位置）に戻すためのスプリング２８が張設されているため、ハンドル２５を時計方向に回動してメイン背凭れ２３ａを伏倒状態とした後にハンドル２５から手を離すと、前記スプリング２８によって元の位置に戻ってしまうため、座部２２を前後動させる以前にロックピン２６ｂが上昇してラック２６ａと噛合して座部２２の移動が不可能となってしまう。この不都合を防止するために以下の構造を付加したものである。
【００４３】
図５はロック手段２６の要部のみを示すもので、他の構造は図２〜４と同じ構成なので図示していない。
図５において、ロックピン２６ｂの長手方向の略中央にはリング状のロック溝２６ｂ1 が形成され、また、ラック２６ａと噛合される円錐状の先端近くにはロールピン２６ｅが貫通固定されている。そして、ロールピン２６ｅと前記座部基板２１との間にスプリング２６ｆが介在しれており、ロックピン２６ｂを常時上方にバネ付勢している。
【００４４】
また、前記したガイド２１ｅにはスプリング２６ｇ1 とボール２１ｇ2 とが内蔵されたボールプランジャ２６ｇが取付けられており、該ボールプランジャ２６ｇの位置にロックピン２６ｂのロック溝２６ｂ1 が移動してくると、常時突出する方向にスプリング２６ｇ1 によってバネ付勢されているボール２１ｇ2 が係合されるようになっている。このボールプランジャ２６ｇのスプリング２６ｇ1 のバネ力は、前記したロックピン２６ｂの押し上げ用スプリング２６ｆのバネ力およびハンドル２５を戻すためのスプリング２８のバネ力より大きくなるように設計されているので、ボールプランジャ２６ｇがロック溝２６ｂ1 に係合された状態ではロックピン２６ｂは固定状態となる。
【００４５】
次に、前記したロック手段２６の動作について説明するに、ハンドル２５をスプリング２８のバネ力に抗して時計方向に回転させると、前記した実施例の動作によってロックピン２６ｂは下降を開始し、ハンドル２５が回転停止した位置において、ロックピン２６ｂのロック溝２６ｂ1 がボールプランジャ２６ｇの位置に移動するので、該ボールプランジャ２６ｇのボール２６ｇ2 がスプリング２６ｇ1 のバネ力によってロック溝２６ｂ1 に係合される。
【００４６】
この状態においてハンドル２５より手を離しても、ボールプランジャ２６ｇのスプリング２６ｇ1 のバネ力は、前記したロックピン２６ｂの押し上げ用スプリング２６ｆのバネ力およびハンドル２５を戻すためのスプリング２８のバネ力より大きいので、ハンドル２５は元の位置、すなわち、反時計方向には回転することがないので、座部２２の前後方向への移動は自由に行える。
【００４７】
そして、希望する位置まで座部２２を移動して、すなわち、被施術者の首後ろがシャンプーボール１の凹部にフィットした位置まで移動したなら、ハンドル２５を施術者が反時計方向に回転させることで、前記した動作と同じく解除アーム２６ｄを介して上昇する方向に力が作用するので、ロック溝２６ｂ1 とボール２６ｇ2 との係合が解除され、従って、ロックピン２６ｂはスプリング２６ｆのバネ力によって上昇し、ロックピン２６ｂの先端がラック２６ａと噛合されて座部２２の移動は阻止され固定状態となる。
【００４８】
なお、この実施例では、ハンドル２５を戻すためのスプリング２８が備えられた場合について説明したが、該スプリング２８は無くともよい。この場合、ボールプランジャ２６ｇにおけるスプリング２５ｇ2 のバネ力は、スプリング２６ｆのバネ力より大であればよい。
【実施例３】
【００４９】
次に、第３の実施例を図６〜図８と共に説明する。前記した第２の実施例はハンドル２５を回動してメイン背凭れ２３ａを伏倒する操作を行った時に、ロックピン２６ｂをボールプランジャ２６ｇによってロックされる場合について説明したが、この実施例は揺動リンク２５ａを突片２１ｆにロックプランジャ２６ｇによって行うものである。
【００５０】
以下、詳細に説明するに、この実施例における揺動リンク２５ａは、略Ｌ字状に形成され、中間の屈曲部が突片２１ｆに軸支されている。また、揺動リンク２５ａの屈曲部における外側には前記ハンドル２５の水平部と接触面積を大きくして溶接するための湾曲部２５ａ1 が形成されている。さらに、揺動リンク２５ａの一端２５ａ2 には前記した連結アーム２５ｃの一端が軸支され、他端２５ａ3 には第２実施例と同じ構造のロックプランジャ２６ｇが取付けられている。
【００５１】
一方、座部基板２１から垂下された突片２１ｆは前記した第１、第２の実施例より厚みが大で、かつ、幅広に形成され、前記揺動リンク２５ｃが回動した時に、前記ロックプランジャ２６ｇのボール２６ｇ2 の移動軌跡上に２つの円錐孔２１ｆ1 が形成されている。また、突片２１ｆの切欠部には揺動リンク２５ｃの回動量を制限して、ハンドル２５が回り過ぎるのを防止するための当たり板２１ｆ2 が固定されている。
【００５２】
次に、前記した構造に基づいて動作を説明するに、図６はハンドル２５が起立方向に回動されており、座部２３の移動が行えないようにロックピン２６ｂがラック２６ａに噛合されている。また、この状態において、揺動リンク２５ｃに取付けられているロックプランジャ２６ｇのボール２６ｇ2 は、突片２１ｆの下側に形成された円錐孔２１ｆ1 に嵌まっている状態である。
【００５３】
この状態において、ハンドル２５をスプリング２８のバネ力に抗して時計方向に回転させると、ロックプランジャ２６ｇのボール２６ｇ2 は前記円錐孔２１ｆ1 より離脱して揺動リンク２５ｃは反時計方向に回転される。これにより、解除アーム２６ｄを右方向に移動させてした位置において、ロックピン２６ｂは下降してラック２６ａから離れて座部板２２ａは移動可能となる。
【００５４】
また、ハンドル２５の回転によって揺動リンク２５ｃが回動して当たり板２１ｆ2 に当接するとハンドル２５のそれ以上の回動は阻止される。しかもこの状態においてロックプランジャ２６ｇのボール２６ｇ2 が上側の円錐孔２１ｆ1 に係合された状態となるので、ロックピン２６ｂの先端はラック２６ａから離れた状態となる。
【００５５】
従って、ハンドル２５より手を離しても、ボールプランジャ２６ｇのスプリング２６ｇ1 のバネ力を、ハンドル２５を起立方向に戻すためのスプリング２８のバネ力より大とすることで、反時計方向には回転することがないので、座部２２の前後方向への移動は自由に行える。
【００５６】
そして、希望する位置まで座部２２を移動して、すなわち、被施術者の首後ろがシャンプーボール１の凹部にフィットした位置まで移動したなら、ハンドル２５を施術者が反時計方向に回転させることで、ボールプランジャ２６ｇのボール２６ｇ2 が円錐孔２１ｆ1 より離脱するので、ロックピン２６ｂはスプリング２６ｆのバネ力によって上昇し、ロックピン２６ｂの先端がラック２６ａと噛合されて座部２２の移動は阻止され固定状態となると共に、この状態においてボールプランジャ２６ｇのボール２６ｇ2 は、突片２１ｆの下側の円錐孔２１ｆ2 に係合され図６の状態となる。
【００５７】
なお、前記した何れの実施例においてもロック手段２６やガスシリンダ２４を制御するため連結アーム２５ｃの操作をハンドル２５によって行ったもので説明したが、ハンドルに限定されるものではなく、レバーやボタンを操作することでワイヤを介して行う等、各種の操作手段が考えられるものである。
【産業上の利用可能性】
【００５８】
前記した実施例は理美容用椅子について説明したが、理美容用椅子に限定されるものではなく、例えば、歯科用椅子や安楽椅子等のように座部が前後動し、背凭れが伏倒する椅子に応用できる。
【図面の簡単な説明】
【００５９】
【図１】本発明に係る理美容用椅子全体を示し、（ａ）は初期状態の側面図、（ｂ）は伏倒した状態の側面図である。
【図２】図１（ａ）の初期状態の詳細な側面図である。
【図３】図１（ｂ）の伏倒した状態の詳細な側面図である。
【図４】図２の裏面図である。
【図５】第２の実施例の要部を示す断面図である。
【図６】第３の実施例のロックピンがラックと噛合している状態の拡大側面図である。
【図７】同上のロックピンがラックから離脱した状態の拡大側面図である。
【図８】図６の裏面図である。
【符号の説明】
【００６０】
２１        座部基台
２１ｆ      突片
２１ｆ1     孔（円錐孔）
２２        座部
２３        背凭れ
２３ａ      メイン背凭れ
２３ｂ      サブ背凭れ
２３ｃ      アーム
２４        ガスシリンダ
２５        ハンドル（操作手段）
２５ａ      揺動リンク
２６        ロック手段
２６ａ      ラック
２６ｂ      ロックピン
２６ｂ1     ロック溝
２６ｅ      ロッルピン
２６ｆ      スプリング
２６ｇ      ボールプランジャ
【図１】
2005152574.tif 000003
【図２】
2005152574.tif 000004
【図３】
2005152574.tif 000005
【図４】
2005152574.tif 000006
【図５】
2005152574.tif 000007
【図６】
2005152574.tif 000008
【図７】
2005152574.tif 000009
【図８】
2005152574.tif 000010